(57)【要約】【課題】受信器のワンチップ化が可能なＴ−ＤＭＢ／ＤＡＢ Ｌｏｗ−ＩＦ受信器を提供すること。【解決手段】受信されたＲＦ信号の雑音信号を抑制させ、前記ＲＦ信号を増幅する低雑音増幅部と、該低雑音増幅部から出力された信号の周波数の帯域を、Ｌｏｗ−ＩＦ（Low-Intermediate Frequency）帯域で変換させ、映像周波数の帯域を取り除く映像消去ダウン変換混合部と、該映像消去ダウン変換混合部から出力された信号の低周波数の帯域を濾過する低域通過濾過部と、該低域通過濾過部から出力された信号を増幅させる増幅部と、前記ダウン変換のための周波数を発生させ、前記映像消去ダウン変換混合部に供給する局部発振器と、該局部発振器の周波数を移動させて固定させる位相固定ループと、前記低雑音増幅部、前記映像消去ダウン変換混合部、前記低域通過濾過部、前記増幅部、前記局部発振器及び前記位相固定ループを単一の半導体回路基板上に集積してワンチップ化することを特徴とする。【選択図】図２
2007053757.tif 000002
【特許請求の範囲】
【請求項１】
受信されたＲＦ信号の雑音信号を抑制させ、前記ＲＦ信号を増幅する低雑音増幅部と、
該低雑音増幅部から出力された信号の周波数の帯域を、Ｌｏｗ−ＩＦ（Low-Intermediate Frequency）帯域で変換させ、映像周波数の帯域を取り除く映像消去ダウン変換混合部と、
該映像消去ダウン変換混合部から出力された信号の低周波数の帯域を濾過する低域通過濾過部と、
該低域通過濾過部から出力された信号を増幅させる増幅部と、
前記ダウン変換のための周波数を発生させ、前記映像消去ダウン変換混合部に供給する局部発振器と、
該局部発振器の周波数を移動させて固定させる位相固定ループとを備え、
前記低雑音増幅部、前記映像消去ダウン変換混合部、前記低域通過濾過部、前記増幅部、前記局部発振器及び前記位相固定ループが単一の半導体回路基板上に集積されてワンチップ化されていることを特徴とする、
地上波デジタルマルチメディア放送用／デジタルオーディオ放送用のＬｏｗ−ＩＦ受信器。
【請求項２】
前記地上波デジタルマルチメディア放送用／デジタルオーディオ放送用のＬｏｗ−ＩＦ受信器が、Ｂａｎｄ−III帯域（１７４ＭＨＺないし２４５ＭＨＺ）またはＬ−Ｂａｎｄ帯域（１４５０ＭＨｚないし１４９２ＭＨｚ）の周波数を受信することを特徴とする、請求項１に記載の地上波デジタルマルチメディア放送用／デジタルオーディオ放送用のＬｏｗ−ＩＦ受信器。
【請求項３】
前記増幅部から出力される信号の中心周波数が、０．７６８ＭＨｚないし０．９６０ＭＨｚ範囲であることを特徴とする、請求項１に記載の地上波デジタルマルチメディア放送用／デジタルオーディオ放送用のＬｏｗ−ＩＦ受信器。
【請求項４】
前記低雑音増幅部と前記増幅部とが、プログラマブル利得増幅器または可変利得増幅器を含むことを特徴とする、請求項１に記載の地上波デジタルマルチメディア放送用／デジタルオーディオ放送用のＬｏｗ−ＩＦ受信器。
【請求項５】
受信された第１ＲＦ信号の雑音信号を抑制させ、前記第１ＲＦ信号を増幅させる第１低雑音増幅部と、
受信された第２ＲＦ信号の雑音信号を抑制させ、前記第２ＲＦ信号を増幅させる第２低雑音増幅部と、
該第１及び第２低雑音増幅部から出力された信号の周波数の帯域を、Ｌｏｗ−ＩＦ帯域で変換させ、映像周波数の帯域を取り除く映像消去ダウン変換混合部と、
該映像消去ダウン変換混合部から出力された信号の低周波数の帯域を濾過する低域通過濾過部と、
該低域通過濾過部から出力された信号を増幅する増幅部と、
前記ダウン変換のための周波数を発生させ、前記映像消去ダウン変換混合部に供給する局部発振器と、
該局部発振器の周波数を移動させて固定させる位相固定ループとを備え、
前記第１及び第２低雑音増幅部、前記映像消去ダウン変換混合部、前記低域通過濾過部、前記増幅部、前記局部発振器及び前記位相固定ループが単一の半導体回路基板上に集積されてワンチップ化されていることを特徴とする、
デュアルバンド地上波デジタルマルチメディア放送用／デジタルオーディオ放送用のＬｏｗ−ＩＦ受信器。
【請求項６】
前記第１ＲＦ信号がＢａｎｄ−III帯域（１７４ＭＨＺないし２４５ＭＨＺ）の周波数であり、前記第２ＲＦ信号はＬ−Ｂａｎｄ帯域（１４５０ＭＨｚないし１４９２ＭＨｚ）の周波数であることを特徴とする、請求項５に記載のデュアルバンド地上波デジタルマルチメディア放送用／デジタルオーディオ放送用のＬｏｗ−ＩＦ受信器。
【請求項７】
前記増幅部から出力される信号の中心周波数が、０．７６８ＭＨｚないし０．９６０ＭＨｚ範囲であることを特徴とする、請求項５に記載のデュアルバンド地上波デジタルマルチメディア放送用／デジタルオーディオ放送用のＬｏｗ−ＩＦ受信器。
【請求項８】
前記第１及び第２低雑音増幅部と前記増幅部とが、プログラマブル利得増幅器または可変利得増幅器を含むことを特徴とする、請求項５に記載のデュアルバンド地上波デジタルマルチメディア放送用／デジタルオーディオ放送用のＬｏｗ−ＩＦ受信器。
【発明の詳細な説明】
【技術分野】
【０００１】
本発明は、地上波デジタルマルチメディア放送用（Terrestrial-Digital Multimedia Broadcastingと；以下、「Ｔ−ＤＭＢ」とする。）及びデジタルオーディオ放送用（Digital Audio Broadcasting；以下、「ＤＡＢ」とする。）の受信器に関するものである。
【０００２】
従来の受信器は、受信された信号の周波数を中間周波数（Intermediate Frequency；ＩＦ）帯域で変換させた後に再び基底帯域に変換するスーパーヘテロダイン（Super-Heterodyne）方式を用いた。
【０００３】
このように、中間周波数を用いることは、特定の周波数の帯域を効果的に濾過するフィルタを用いて受信器の性能を向上させるためである。一般に、この際に用いられるフィルタは、ＳＡＷ（Surface Acoustic Wave）フィルタである。
【０００４】
従来のＤＡＢ受信器のＲＦ（Radio Frequency）周波数はＬ−Ｂａｎｄである１４５０ＭＨｚないし１４９２ＭＨｚの範囲を用いて、Ｔ−ＤＭＢ受信器のＲＦ周波数はＢａｎｄ−IIIである１７４ＭＨｚないし２４５ＭＨｚの範囲を用いる。これに用いられる中間周波数（Intermediate Frequency；ＩＦ）は、３８．９１２ＭＨｚであり、チャネル当たりの使用帯域（Band Width）は１．５３６ＭＨｚである。
【０００５】
図１は、従来の受信器に対するブロック図である。
【０００６】
図１に示されているように、アンテナ１０１によって受信されたＲＦ信号は低雑音増幅部（Low Noise Amplifier；ＬＮＡ）１０２に入力される。低雑音増幅部１０２の出力信号は混合部１０３に入力され、混合部１０３では低雑音増幅部１０２の出力信号の周波数を局部発振器１０８からの周波数（信号）と混合して、中間周波数の帯域に移動させる。
【０００７】
混合部１０３の出力信号は帯域通過フィルタ１０４を経由して増幅部１０５に入力される。増幅部１０５の出力信号は復調器（Demodulator）１０７に入力される。局部発振器１０８は、受信されたＲＦ信号を中間周波数の帯域に移動するように周波数を生成させて混合部１０３に供給する。
【０００８】
図１に示されている受信器において、帯域通過フィルタ１０４は通常のスーパーヘテロダイン方式を用いるＳＡＷフィルタである。
【０００９】
図１に示されているように、低雑音増幅部１０２、混合部１０３、増幅部１０５及び局部発振器１０８は一つの受信チップ１０６に集積されてワンチップ化しており、帯域通過フィルタ１０４であるＳＡＷフィルタは受信チップ１０６の外部に位置している。
【００１０】
ＳＡＷフィルタは表面弾性波フィルタとも言うが、圧電基板の機械的震動を用いた通信用のフィルタである。圧電基板上に櫛目型の金属板を両方に二つずつ交差するように配置し、一方向から電気的信号を入力すると、圧電基板上に表面弾性波が発生するようになる。
【００１１】
表面弾性波と呼ばれる機械的震動は反対側からまた電気的な信号に変換されるようになるが、ここで圧電板自体の表面弾性波周波数と入力電気的信号の周波数とが異なると信号が伝送されなくなるため、フィルタ自体が有する機械／物質的周波数と同じ周波数だけを正確に通過させる帯域通過フィルタの役割を果たすようになる。
【００１２】
このようなＳＡＷフィルタは一般のＬＣ共振の原理を用いたフィルタに比べて帯域幅が非常に狭いため、必要のない周波数の信号をほぼ完全に除去し、狭い帯域幅で好ましい信号の周波数だけを正確に選び出すことにおいて非常に効果的である。
【００１３】
しかし、ＳＡＷフィルタは機械的な構造からなるフィルタであるため、受信器全体の体積を減らすのに限界がある。図１に示されているように、ＳＡＷフィルタの帯域通過フィルタ１０４を用いる受信器には、受信器をワンチップ化する場合、ＳＡＷフィルタを受信器に共にワンチップ化させることができず、受信チップ１０６の外部に位置させるようになる。
【００１４】
また、ＳＡＷフィルタは相対的に高価であり、受信器全体の生産費用を上昇させることになる。
【００１５】
一方、一つのアンテナによって、一つのＲＦ信号を受信する受信器の場合には、該当する一つの周波数の帯域の信号だけ受信が可能である。よって、二つ以上の周波数の帯域を受信するためには、それぞれの周波数の帯域を受信するための受信チップが必要となり、全体受信器の体積が増加して製造費用が上昇することになるという問題が生じる。
【発明の開示】
【発明が解決しようとする課題】
【００１６】
そこで、本発明は、上述した従来の技術の問題点を解決するためになされたものであって、その目的は、受信器のワンチップ化が可能なＴ−ＤＭＢ／ＤＡＢ Ｌｏｗ−ＩＦ受信器を提供することにある。
【００１７】
また、本発明の他の目的は、二つの帯域の周波数を受信し、受信器のワンチップ化が可能なＴ−ＤＭＢ／ＤＡＢ Ｌｏｗ−ＩＦ受信器を提供することにある。
【課題を解決するための手段】
【００１８】
上述した課題を解決するための本発明に係る地上波デジタルマルチメディア放送用／デジタルオーディオ放送用のＬｏｗ−ＩＦ受信器は、受信されたＲＦ信号の雑音信号を抑制させ、前記ＲＦ信号を増幅する低雑音増幅部と、該低雑音増幅部から出力された信号の周波数の帯域を、Ｌｏｗ−ＩＦ（Low-Intermediate Frequency）帯域で変換させ、映像周波数の帯域を取り除く映像消去ダウン変換混合部と、該映像消去ダウン変換混合部から出力された信号の低周波数の帯域を濾過する低域通過濾過部と、該低域通過濾過部から出力された信号を増幅させる増幅部と、前記ダウン変換のための周波数を発生させ、前記映像消去ダウン変換混合部に供給する局部発振器と、該局部発振器の周波数を移動させて固定させる位相固定ループとを備え、前記低雑音増幅部、前記映像消去ダウン変換混合部、前記低域通過濾過部、前記増幅部、前記局部発振器及び前記位相固定ループが単一の半導体回路基板上に集積されてワンチップ化されていることを特徴とする。
【００１９】
ここで、好ましくは、前記地上波デジタルマルチメディア放送用／デジタルオーディオ放送用のＬｏｗ−ＩＦ受信器が、Ｂａｎｄ−III帯域（１７４ＭＨＺないし２４５ＭＨＺ）またはＬ−Ｂａｎｄ帯域（１４５０ＭＨｚないし１４９２ＭＨｚ）の周波数である。
【００２０】
ここで、好ましくは、前記増幅部から出力される信号の中心周波数が、０．７６８ＭＨｚないし０．９６０ＭＨｚ範囲である。
【００２１】
ここで、好ましくは、前記第１及び第２低雑音増幅部と前記増幅部とが、プログラマブル利得増幅器または可変利得増幅器を含む。
【００２２】
別の本発明に係る地上波デジタルマルチメディア放送用／デジタルオーディオ放送用のＬｏｗ−ＩＦ受信器は、デュアルバンドの受信器として構成される。この受信器は、受信された第１ＲＦ信号の雑音信号を抑制させ、前記第１ＲＦ信号を増幅させる第１低雑音増幅部と、受信された第２ＲＦ信号の雑音信号を抑制させ、前記第２ＲＦ信号を増幅させる第２低雑音増幅部と、該第１及び第２低雑音増幅部から出力された信号の周波数の帯域を、Ｌｏｗ−ＩＦ帯域で変換させ、映像周波数の帯域を取り除く映像消去ダウン変換混合部と、該映像消去ダウン変換混合部から出力された信号の低周波数の帯域を濾過する低域通過濾過部と、該低域通過濾過部から出力された信号を増幅する増幅部と、前記ダウン変換のための周波数を発生させ、前記映像消去ダウン変換混合部に供給する局部発振器と、該局部発振器の周波数を移動させて固定させる位相固定ループとを備え、前記第１及び第２低雑音増幅部、前記映像消去ダウン変換混合部、前記低域通過濾過部、前記増幅部、前記局部発振器及び前記位相固定ループが単一の半導体回路基板上に集積されてワンチップ化されていることを特徴とする。
【００２３】
ここで、前記地上波デジタルマルチメディア放送用／デジタルオーディオ放送用のＬｏｗ−ＩＦ受信器が、前記第１ＲＦ信号がＢａｎｄ−III帯域（１７４ＭＨＺないし２４５ＭＨＺ）の周波数であり、前記第２ＲＦ信号はＬ−Ｂａｎｄ帯域（１４５０ＭＨｚないし１４９２ＭＨｚ）の周波数である
【００２４】
ここで、前記増幅部から出力される信号の中心周波数が、０．７６８ＭＨｚないし０．９６０ＭＨｚ範囲である。
【００２５】
ここで、前記第１及び第２低雑音増幅部と前記増幅部とが、プログラマブル利得増幅器または可変利得増幅器を含む。
【発明の効果】
【００２６】
本発明のＴ−ＤＭＢ／ＤＡＢ Ｌｏｗ−ＩＦ受信器は、従来のＳＡＷフィルタを取り除いて受信器の製造費用を節約し、受信器のワンチップ化を容易にするという効果が得られる。
【００２７】
また、本発明の他の効果は、デュアルバンドＴ−ＤＭＢ／ＤＡＢ Ｌｏｗ−ＩＦ受信器は、二つの帯域の周波数を受信するのと同時に、従来のＳＡＷフィルタを取り除いて受信器の製造費用を節約し、受信器のワンチップ化を容易にするという効果が得られる。
【発明を実施するための最良の形態】
【００２８】
以下、本発明のもっとも好ましい実施の形態を添付する図面を参照して説明する。
【００２９】
図２は、本発明の一実施の形態を示したものである。
【００３０】
本発明の一実施の形態での受信器は、低雑音増幅部２０２、映像消去ダウン変換混合部２０３、低域通過濾過部２０４、増幅部２０５、局部発振器２０８及び位相固定ループ２０９を含み、低雑音増幅部２０２、映像消去ダウン変換混合部２０３、低域通過濾過部２０４、増幅部２０５、局部発振器２０８及び位相固定ループ２０９を一つのチップ２０６にワンチップ化した、Ｔ−ＤＭＢ／ＤＡＢ Ｌｏｗ−ＩＦ受信器である。
【００３１】
アンテナ２０１で受信されたＲＦ信号は、雑音信号を抑制してＲＦ信号を増幅させる低雑音増幅部２０２に入力される。低雑音増幅部２０２の出力信号は、映像周波数成分を取り除いて周波数の帯域をＬｏｗ−ＩＦでダウン変換させる映像消去ダウン変換混合部２０３に入力される。
【００３２】
映像消去ダウン変換混合部２０３の出力信号は、低周波帯域の信号を濾過する低域通過濾過部２０４に入力される。低域通過濾過部２０４の出力信号は増幅部２０５に入力され、増幅部２０５の出力信号は復調器（Demodulator）２０７に入力される。ここで、低域通過濾過部２０４は、一般のＬＣ共振の原理を用いたフィルタで構成することが可能であり、低域通過濾過部２０４を低雑音増幅部２０２、映像消去ダウン変換混合部２０３、増幅部２０５、局部発振器２０８とワンチップ化することができる。
【００３３】
局部発振器２０８では、映像消去ダウン変換混合部２０３によって、ＲＦ信号がＬｏｗ−ＩＦ信号にダウン変換されることが可能になるように局部的な周波数を生成して、映像消去ダウン変換混合部２０３に供給する。位相固定ループ２０９は、局部発振器２０８から発生した周波数を移動及び固定させるために局部発振器２０８に信号を供給する。
【００３４】
このような構成によって、本発明の受信器はＳＡＷフィルタを取り除くことができ、また受信器の製造費用を減少させることができ、低雑音増幅部２０２、映像消去ダウン変換混合部２０３、低域通過濾過部２０４、増幅部２０５、局部発振器２０８及び位相固定ループ２０９は一つのチップ２０６にワンチップ化され得る。
【００３５】
本発明のＴ−ＤＭＢ／ＤＡＢ Ｌｏｗ−ＩＦ受信器は、Ｂａｎｄ−III帯域（１７４ＭＨＺないし２４５ＭＨＺ）の周波数、またはＬ−Ｂａｎｄ帯域（１４５０ＭＨｚないし１４９２ＭＨｚ）の周波数を受信して中心周波数として０．７６８ＭＨｚないし０．９６０ＭＨｚ範囲内の周波数を出力する。
【００３６】
本発明の一実施の形態で受信器の出力端での信号帯域幅はおおよそ１．５３６ＭＨｚである。
【００３７】
本発明で受信器の出力信号の中心周波数を０．７６８ＭＨｚの下限周波数に限定したのは出力端での信号の帯域幅が１．５３６ＭＨｚの場合、中心周波数が０．７６８ＭＨｚ以下であれば、受信器の出力端での信号成分のうち一部が負の周波数領域に進入するためであり、受信器の出力端で中心周波数を０．９６０ＭＨｚの上限周波数に限定したのは、周波数資源を用いる国家によって異なる規格規定によるガードハンドの最小値が０．１９２ＭＨｚまたは０．１７６ＭＨｚであるため、中心周波数が０．９６０ＭＨｚ以上である場合、隣接信号の含まれる可能性があるためである。
【００３８】
さらに好ましくは、受信器の出力端の中心周波数はおおよそ８５０ｋＨｚである。
点線で区画されられた部分２１０には高域通過濾過部（図示せず）が含まれる。
【００３９】
高域通過フィルタは、点線で区画されられた部分２１０の映像消去ダウン変換混合部２０３、低域通過濾過部２０４及び増幅部２０５で発生する低周波数の成分を取り除く。ＤＣ信号を取り除き、好ましいチャネルＷａｎｔｅｄ Ｃｈａｎｎｅｌの信号と隣接チャネル（Ａｄｊａｃｅｎｔ Ｃｈａｎｎｅｌ）の信号とを確実に濾過するために、高域通過濾過部の遮断周波数は０．１９２ＭＨｚ以下であるのが好ましい。高域通過濾過部はアンテナによって受信されたＲＦ信号を増幅して混合するなどの過程を通して発生するＤＣ成分を取り除くようになる。
【００４０】
一方、上述の高域通過濾過部はＤＣオフセット（ＤＣｏｆｆｓｅｔ）校正部でも可能である。これはＤＣオフセット校正部が高域通過フィルタの機能を有しているからである。このように、高域通過濾過部をＤＣオフセット校正部として用いる場合、ＤＣオフセット校正ループの遮断周波数は０．１９２ＭＨｚ以下である。
【００４１】
低雑音増幅部２０２と増幅部２０５とはプログラマブル利得増幅部または可変利得増幅部を含む。低雑音増幅部２０２と増幅部２０５はＡＧＣ（Automatic Gain Controller；図示せず）の利得制御信号によって利得が調整される。
【００４２】
一部周波数の帯域を用いる信号では情報が含まれた信号区間が連続しているのではなく、情報が含まれた情報区間と情報が含まれないゼロ（null）区間とが共存する。ゼロ区間は情報区間に比べて信号の大きさが小さいため、ＡＧＣがゼロ区間で動作をするようになると、低雑音増幅器２０２または増幅器２０５の増幅利得を増加させるようになってゼロ区間が終わり、情報区間になった後にも、大きい増幅利得が一定期間維持されるようになり、受信された情報区間の信号の大きさを一定になるように維持することができなくなる。
【００４３】
ＡＧＣは、ゼロ区間で増幅利得を過度に増加させないように、ゼロシンボルが受信される間は低雑音増幅器２０２または増幅器２０５の増幅を停止させたり、ゼロシンボルが受信される直前の利得制御信号を維持してゼロ区間で増幅利得を増加させないようにする。
【００４４】
復調器２０７は、受信器２０６の出力端の信号を供給される。
本実施形態によれば、ＳＡＷフィルタを省略し、受信器をワンチップ化し、受信器全体の体積を減らすことが可能である。
また、高価なＳＡＷフィルタを省略できるため、受信器全体の生産費用を低減することができる。
【００４５】
図３は、本発明のデュアルバンドＴ−ＤＭＢ／ＤＡＢ Ｌｏｗ−ＩＦ受信器に対する実施の形態を示したものである。
【００４６】
本発明に係るデュアルバンドＴ−ＤＭＢ／ＤＡＢ Ｌｏｗ−ＩＦ受信器は、第１低雑音増幅部３０２、第２低雑音増幅部３１２、映像消去ダウン変換混合部３０３、低域通過濾過部３０４、増幅部３０５、局部発振器３０８及び位相固定ループ３０９を含み、第１及び第２低雑音増幅部３０２、３１２、映像消去ダウン変換混合部３０３、低域通過濾過部３０４、増幅部３０５、局部発振器３０８及び位相固定ループ３０９を一つのチップ３０６にワンチップ化した、デュアルバンドＴ−ＤＭＢ／ＤＡＢ Ｌｏｗ−ＩＦ受信器である。
【００４７】
第１アンテナ３０１で受信された第１ＲＦ信号は雑音信号を抑制して第１ＲＦ信号を増幅させて第１低雑音増幅部３０２に入力され、第２アンテナ３１１で受信された第２ＲＦ信号は雑音信号を抑制して第２ＲＦ信号を増幅させて第２低雑音増幅部３１２に入力される。
【００４８】
第１低雑音増幅部３０２の出力信号と第２低雑音増幅部３１２との出力信号は、映像周波数成分を取り除いて周波数の帯域をＬｏｗ−ＩＦでダウン変換させる映像消去ダウン変換混合部３０３に入力される。
【００４９】
映像消去ダウン変換混合部３０３の出力信号は、低周波帯域の信号を濾過する低域通過濾過部３０４に入力される。低域通過濾過部の出力信号は増幅部３０５に入力されて、増幅部３０５の出力信号は復調器３０７に入力される。
【００５０】
局部発振器３０８では、映像消去ダウン変換混合部３０３によってＲＦ信号がＬｏｗ−ＩＦ信号でダウン変換が可能になるように局部的な周波数を生成して映像消去ダウン変換混合部３０３に供給する。位相固定ループ３０９は、局部発振器３０８から発生した周波数を移動及び固定させるために局部発振器３０８に信号を供給する。
【００５１】
このように構成することによって、本発明に係る受信器は二つの帯域の周波数を受信することができる。また、ＳＡＷフィルタを用いないため、第１及び第２低雑音増幅部３０２、３１２、映像消去ダウン変換混合部３０３、低域通過濾過部３０４、増幅部３０５、局部発振器３０８及び位相固定ループ３０９を一つのチップ３０６に容易にワンチップ化することができる。
【００５２】
本発明のデュアルバンドＴ−ＤＭＢ／ＤＡＢ Ｌｏｗ−ＩＦ受信器は、好ましくは、第１アンテナ３０１からＢａｎｄ−III（１７４ＭＨＺないし２４５ＭＨＺ）帯域の周波数を受信して、第２アンテナ３１１からＬ−Ｂａｎｄ（１４５０ＭＨｚないし１４９２ＭＨｚ）帯域の周波数を受信して、中心周波数として０．７６８ＭＨｚないし０．９６０ＭＨｚ範囲内の周波数を受信器の出力端で供給する。さらに好ましくは、受信器の出力端の中心周波数はおおよそ８５０ｋＨｚである。
【００５３】
本発明において、受信器の出力端での信号の帯域幅はおおよそ１．５３６ＭＨｚである。受信器の出力端で中心周波数を ０．７６８ＭＨｚの下限周波数に限定したのは、出力端での信号の帯域幅が１．５３６ＭＨｚの場合、中心周波数が０．７６８ＭＨｚ以下であれば、受信器の出力端での信号成分のうち一部が負の周波数領域に進入するためである。受信器の出力端で中心周波数を０．９６０ＭＨｚの上限周波数に限定したのは、周波数資源を用いる国家によって異なる規格規定によるガードハンドの最小値が０．１９２ＭＨｚまたは０．１７６ＭＨｚであるため、中心周波数が０．９６０ＭＨｚ以上の場合、隣接信号の含まれる可能性があるからである。
【００５４】
位相固定ループ３０９は、受信された Ｂａｎｄ−III帯域またはＬ−Ｂａｎｄ帯域の周波数を０．７６８ＭＨｚないし０．９６０ＭＨｚ範囲内の中心周波数にダウン変換し、受信器の出力端に供給されるように局部発振器３０８に信号を伝送する。
【００５５】
したがって、本発明のデュアルバンドＴ−ＤＭＢ／ＤＡＢ Ｌｏｗ−ＩＦ受信器は、Ｂａｎｄ−III帯域と Ｌ−Ｂａｎｄ帯域の二つの帯域の信号を受信するようになる。
【００５６】
Ｂａｎｄ−III帯域の信号を受信する場合に受信されたＲＦ信号は、第１アンテナ３０１、第１低雑音増幅部３０２、映像消去ダウン変換混合部３０３、低域通過濾過部３０４、増幅部３０５を通過し、Ｌ−Ｂａｎｄ帯域の信号を受信する場合に受信されたＲＦ信号は、第２アンテナ３１１、第２低雑音増幅部３１２、映像消去ダウン変換混合部３０３、低域通過濾過部３０４、増幅部３０５を通過する。
【００５７】
点線で区画されられた部分３１０には、高域通過濾過部（図示せず）が含まれる。高域通過濾過部の遮断周波数が０．１９２ＭＨｚ以下であるのが好ましい。
【００５８】
周波数領域でそれぞれの信号を使用帯域を分離するためにガードバンドを設定するが、一般に周波数資源を用いる国家によって異なる規格規定によるガードバンドの最小値が０．１９２ＭＨｚまたは０．１７６ＭＨｚである。本発明では、高域通過濾過部の遮断周波数を０．１９２ＭＨｚ以下に設定することによって、ＤＣ信号を取り除いて好ましいチャネル（Ｗａｎｔｅｄ Ｃｈａｎｎｅｌ）の信号を隣接チャネル（Ａｄｊａｃｅｎｔ Ｃｈａｎｎｅｌ）の信号から正確に濾過するようになる。
【００５９】
高域通過フィルタは映像消去ダウン変換混合部３０３、低域通過濾過部３０４及び増幅部３０５を含む点線で区画されられた部分３１０で低周波数の成分を取り除くためのものであり、第１、第２アンテナ３０１、３１１に入力されたＲＦ信号を増幅して混合するなどの過程を通して発生する低周波数の成分を取り除く。
【００６０】
上述の高域通過濾過部はＤＣオフセット校正（DC offset calibration）部でもその役割を果たすことができる。ＤＣオフセット校正部を用いる場合にＤＣオフセット校正ループの遮断周波数は０．１９２ＭＨｚ以下である。
【００６１】
第１及び第２低雑音増幅部３０２、３１２及び増幅部３０５は、プログラマブル利得増幅器または可変利得増幅器を含む。第１及び第２低雑音増幅部３０２、３１２及び増幅部３０５はＡＧＣ（Automatic Gain Controller；図示せず）によって利得が調整される。
【００６２】
一部周波数の帯域を用いる信号では、情報が含まれた信号区間が連続しているのではなく、情報が含まれた情報区間と情報が含まれないゼロ区間とが共存する。ゼロ区間は情報区間に比べて信号の大きさが小さいためＡＧＣがゼロ区間に動作をするようになると第１、第２低雑音増幅器３０２、３１２ または増幅器３０５の増幅利得を増加させるようになってゼロ区間が終わり、情報区間になった後にも、大きい増幅利得が一定期間維持されるようになって受信された情報区間の信号の大きさを一定になるように維持することができなくなる。
【００６３】
ＡＧＣは、ゼロ区間で増幅利得が増加されないようにゼロシンボルが受信される間には、第１、第２低雑音増幅器３０２、３１２ または増幅器３０５の増幅を停止させたり、ゼロシンボルが受信される直前の利得制御信号を維持してゼロ区間で増幅利得が増加しないようにする。
【００６４】
復調器３０７は、受信器の出力端の信号を供給される。
本実施形態によれば、図２の実施形態の作用効果に加えて以下の作用効果を奏する。すなわち、二つ以上の周波数の帯域を受信する受信器をワンチップ化することができる。これにより、さらに、複数の周波数帯域の信号を受信する受信器の小型化及びコストダウンを図ることができる。
【００６５】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００６６】
【図１】従来のＳＡＷフィルタを用いた受信器に対するブロック図である。
【図２】本発明に係る一実施の形態において、Ｔ−ＤＭＢ／ＤＡＢ Ｌｏｗ−ＩＦ受信器に対するブロックダイヤグラムを示したものである。
【図３】は本発明に係る他の実施の形態において、デュアルバンドＴ−ＤＭＢ／ＤＡＢ Ｌｏｗ−ＩＦ受信器に対するブロックダイヤグラムを示したものである。
【図１】
2007053757.tif 000003
【図２】
2007053757.tif 000004
【図３】
2007053757.tif 000005